(57)【要約】      （修正有）【課題】支障なく扉の開閉が行なえて、しかも出入口からの出入りがスムーズに行なえ、それでいながら扉の設置部位の強度も充分確保することが出来る仕切り部材を提供する。【解決手段】正面視略Ｕ字状とした枠体５と、前記下部横杆５１と左右縦杆とで画成される出入口を開閉する扉６とを備え、前記扉６を左右縦杆の一方に揺動可能に支持して成る出入り用柵部材３を形成し、この出入り用柵部材３の左右縦杆の内側面と前記出入り用柵部材３に連結されるメイン柵部材２ａ・２ｂの縦杆の内側面とに跨って連結体７を固定すると共に、前記扉６の揺動側に位置する連結体７の長さ方向一端部を前記出入口に突出させて、この突出部位により扉を閉鎖位置で受け止めるように成し前記扉６を前記連結体７の突出部位とで挟持するためのロック部材９が、前記出入口に突出する位置と前記出入口から退く位置とに位置変更可能に設けた。【選択図】図２
2010017088.tif 000002
【特許請求の範囲】
【請求項１】
上下横杆及びこれら上下横杆の長さ方向両端部を連結する左右縦杆から成る枠体を備えた複数枚のメイン柵部材を接続して構成される仕切り部材であって、
下部横杆及びこの下部横杆の長さ方向両端に立設する左右縦杆とから成る正面視略Ｕ字状とした枠体と、前記下部横杆と左右縦杆とで画成される出入口を開閉する扉とを備え、前記扉を左右縦杆の一方に揺動可能に支持して成る出入り用柵部材を形成し、この出入り用柵部材の左右縦杆の内側面と前記出入り用柵部材に連結されるメイン柵部材の縦杆の内側面とに跨って連結体を固定すると共に、前記扉の揺動側に位置する連結体の長さ方向一端部を前記出入口に突出させて、この突出部位により扉を閉鎖位置で受け止めるように成し、前記出入り用柵部材における前記扉の揺動側に位置する縦杆の外側面には、前記扉を前記連結体の突出部位とで挟持するためのロック部材が、前記出入口に突出する位置と前記出入口から退く位置とに位置変更可能に設けられていることを特徴とする仕切り部材。
【請求項２】
前記出入口用柵部材の枠体を構成する縦杆及び下部横杆の幅を前記メイン柵部材の枠体を構成する縦杆及び下部横杆の幅の約2倍としていることを特徴とする請求項１に記載の仕切り部材。
【請求項３】
前記連結体が、前記出入り用柵部材及び前記メイン柵部材の上部と下部の２ヵ所に設けられていることを特徴とする請求項１または２に記載の仕切り部材。
【発明の詳細な説明】
【技術分野】
【０００１】
本発明は、犬などのペット用または乳幼児用のゲートやサークルとして用いられる仕切り部材に関する。
【背景技術】
【０００２】
近年、子犬等を家屋内の一定の場所に入れておくために、所謂サークル（囲い）やゲートなどの木製の仕切り部材が提案されている。（特許文献１参照）
即ち、従来の木製の仕切り部材は、複数枚の柵部材を連結して、柵部材の一つに扉を設けているものであって、具体的には、柵部材の一つとして、上下桟と、これら上下桟の長さ方向両端をダボ部材などを介して連結する左右縦杆とから矩形状の枠を形成して、この枠内に扉を揺動可能に取り付け、扉の開動作により、枠内を出入口として開放するようにしている。
【０００３】
しかしながら以上の構造の仕切り部材では、前記したように、扉の開動作により枠内が開放されるので、この枠内で子犬などの出入りは行なえるにしても、人が出入りするに際しては枠の上桟を跨ぐ必要があり、背の低い人では枠の上桟を跨ぐのが困難となる場合も考えられる。
【０００４】
以上の不具合を解消するためには、枠の上桟を取り外して、Ｕ字状に組まれた枠を形成し、この枠内に扉を揺動可能に取り付ければよいのであるが、従来の矩形に形成される枠の上桟を単に取り外してU字状とするだけでは、枠の強度を充分確保することが困難となり、例えばこの枠内に揺動自由に設けられる扉の開閉操作時、枠全体が捩れ方向に歪むなどの不具合が考えられるし、場合によっては、枠自体が破損するなどの安全上の問題も生じる。
【特許文献１】特開２００８−３５８１５号
【発明の開示】
【発明が解決しようとする課題】
【０００５】
本発明は以上の実情に鑑みて開発されたものであって、目的とするところは、支障なく扉の開閉が行なえて、しかも出入口からの出入りがスムーズに行なえ、それでいながら扉の設置部位の強度も充分確保することが出来る仕切り部材を提供することにある。
【課題を解決するための手段】
【０００６】
前記した目的を達成するために、請求項１に係る本発明は、上下横杆及びこれら上下横杆の長さ方向両端部を連結する左右縦杆から成る枠体を備えた複数枚のメイン柵部材を接続して構成される仕切り部材であって、下部横杆及びこの下部横杆の長さ方向両端に立設する左右縦杆とから成る正面視略Ｕ字状とした枠体と、前記下部横杆と左右縦杆とで画成される出入口を開閉する扉とを備え、前記扉を左右縦杆の一方に揺動可能に支持して成る出入り用柵部材を形成し、この出入り用柵部材の左右縦杆の内側面と前記出入り用柵部材に連結されるメイン柵部材の縦杆の内側面とに跨って連結体を固定すると共に、前記扉の揺動側に位置する連結体の長さ方向一端部を前記出入口に突出させて、この突出部位により扉を閉鎖位置で受け止めるように成し、前記出入り用柵部材における前記扉の揺動側に位置する縦杆の外側面には、前記扉を前記連結体の突出部位とで挟持するためのロック部材が、前記出入口に突出する位置と前記出入口から退く位置とに位置変更可能に設けられていることを特徴とする。
【０００７】
請求項２に係る本発明は、請求項１に記載の仕切り部材において、出入口用柵部材の枠体を構成する縦杆及び下部横杆の幅をメイン柵部材の枠体を構成する縦杆及び下部横杆の幅の約2倍としていることを特徴とする。
【０００８】
請求項３に記載の発明は、請求項１または２に記載の仕切り部材において、前記連結体が、前記出入り用柵部材及び前記メイン柵部材の上部と下部の２ヵ所に設けられていることを特徴とする。
【発明の効果】
【０００９】
請求項１に記載の発明によれば、扉の開放により、Ｕ字状の枠体の下部横杆と左右縦杆とで画成される出入口からスムーズに出入りすることができ、それでいながら、扉の閉鎖に伴い、扉の遊端部が、出入り用柵部材の左右縦杆の内側面と前記出入り用柵部材に連結されるメイン柵部材の縦杆の内側面とに跨って固定された連結体と出入り用柵部材における前記扉の揺動側に位置する縦杆の外側面に取り付けられたロック部材とで挟持されて、メイン柵部材と出入り用柵部材のみならず出入り用柵部材を構成する枠体と扉の遊端側が一体的に結合されるので、出入り用柵部材のみならず仕切り部材全体の剛性が高まり、支障なく扉の開閉も行なうことができる。
【００１０】
請求項２に記載の発明によれば、請求項１に記載の発明の効果に加え、前記出入り用柵部材を構成する枠体の強度が充分確保されて、出入り用柵部材のみならず仕切り部材全体の剛性がより一層高まる。
【００１１】
請求項３に記載の発明によれば、請求項１または２に記載の発明の効果に加え、扉の閉鎖に伴い、扉の遊端部の上下が、出入り用柵部材の左右縦杆の内側面と前記出入り用柵部材に連結されるメイン柵部材の縦杆の内側面とに跨って固定された連結体と出入り用柵部材における前記扉の揺動側に位置する縦杆の外側面に取り付けられたロック部材とで挟持されて、メイン柵部材と出入り用柵部材のみならず出入り用柵部材を構成する枠体と扉の遊端側がより一層一体的に結合されるので、出入り用柵部材のみならず仕切り部材全体の剛性がさらに高まる。
【発明を実施するための最良の形態】
【００１２】
以下、本発明の実施の形態を添付した図面により詳細に説明する。
【００１３】
先ず、図１は、本発明に係る仕切り部材の一実施形態を示す斜視図、
図２は、扉を開いた状態の仕切り部材の斜視図、図３は、要部を分解して示す正面図、図４は、出入り用柵部材を構成する枠体の正面図、図５は、出入り用柵部材を構成する扉の正面図、図６は、要部の背面図、図７は、要部の拡大平面図、図８は、要部の拓大断面図である。
【００１４】
そして、図１〜図８において符号１で示す本発明の仕切り部材は、主として建屋内の部屋の出入口に設置して用いるペット用のゲートに適用したものであって、この仕切り部材１は、直列状に連結される３枚の柵部材、具体的には、仕切り専用の２枚のメイン柵部材２ａ・２ｂ及び扉６により開閉される出入口３０が備えられた１枚の出入り用柵部材３と、直列状に連結された柵部材群の長さ方向両端に組みつけられて、この柵部材群を立設させるための一対の脚部材４とから構成されている。
【００１５】
仕切り専用の２枚のメイン柵部材２ａ・２ｂは、上下の横杆２１・２２及びこれら上下の横杆２１・２２の長さ方向両端に架設される左右の縦杆２３・２４から矩形状に枠組みされた枠体２０を備え、この枠体２０における上下の横杆２１・２２間には複数本の仕切り杆２５を架設している。
【００１６】
出入口３０が設けられる出入り用柵部材３は、下部横杆５１及びこの下部横杆５１の長さ方向両端部から立設する左右縦杆５２・５３から正面視略Ｕ字状に枠組みされた枠体５と、この枠体５を構成する右側の縦杆５３にヒンジ金具５４を介して揺動自由に支持されて、枠体５の下部横杆５１及び左右縦杆５２・５３で画成される出入口３０を開閉する扉６とから構成されている。
【００１７】
枠体５を構成する下部横杆５１は、その幅Ｌ１をメイン柵部材２ａ・２ｂにおける下部横杆２２の幅Ｌ２の約２倍とし、また左右縦杆５２・５３の幅Ｌ３もメイン柵部材２ａ・２ｂにおける縦杆２３・２４の幅Ｌ４の約２倍としている。
【００１８】
扉６は、上下の横杆６１・６２と、これら上下の横杆６１・６２の長さ方向両端に架設される左右の縦杆６３・６４と、上下の横杆６１・６２間に架設された複数本の仕切り杆６５とから枠組み形成されている。
【００１９】
脚部材４は、上下の横杆４１・４２と、これら上下の横杆４１・４２の長さ方向両端に架設される左右の縦杆４３・４４と、上下の横杆４１・４２間に架設された複数本の仕切り杆４５とから枠組み形成され、下部横杆４２は上部横杆４１よりも長く形成している。
【００２０】
出入り用柵部材３は、図１にも示すように、２枚のメイン柵部材２ａ・２ｂ間に組み付けられるのであって、出入り用柵部材３とメイン柵部材２ａ・２ｂを連結するために、正面視短冊状に形成した木製の連結体７と、この連結体７を前述の柵部材２ａ・２ｂ・２ｃに固定するための固定金具８及び既存の木製のダボ部材７０とを用いている。
【００２１】
固定金具８は、長さ方向一端に回転操作用フランジ８１を備えた螺子軸８２と、長さ方向一端に回転操作用フランジ８３を備え、前記螺子軸８２が螺合可能な螺子筒８４とから構成されている。
【００２２】
そして、出入り用柵部材３とメイン柵部材２ａ・２ｂを前記したダボ部材７０により連結するために、メイン柵部材２ａ・２ｂにおける出入り用柵部材３との連結側に位置する縦杆２３・２４並びに出入用柵部材３の左右縦杆５２・５３には、ダボ部材７０の嵌合穴７０ａがそれぞれ設けられて、これら嵌合孔７０ａにダボ部材７０を密嵌することで、ダボ部材７０を介して出入り用柵部材３とメイン柵部材２ａ・２ｂを連結するようにしている。
【００２３】
また更に出入り用柵部材３とメイン柵部材２ａ・２ｂを前記した連結体７と固定金具８により連結するために、連結体７の長さ方向両端部と、メイン柵部材２ａ・２ｂの上下横杆２１・２２及び出入用柵部材３の左右縦杆５２・５３の長さ方向両端部には、固定金具８の螺子軸８２、螺子筒８４を挿通するための貫通孔８０が設けられて、メイン柵部材２ａ・２ｂの上下横杆２１・２２及び出入り用柵部材３の左右縦杆５２・５３の両端部に連結体７を貫通孔８０を介してそれぞれ固定金具８により固定することで、この連結体７を介して柵部材２ａ・２ｂ・３同士を連結するようにしている。
【００２４】
そして連結体７による柵部材２ａ・２ｂ・３の連結に際して、図６、図７にも示すように、扉６の揺動側に位置する連結体７の長さ方向一端部を前記出入口３０に突出させて、この突出部位７ａにより扉６を閉鎖位置で受け止めるように成している。
【００２５】
また出入り用柵部材３の枠体５における扉６の揺動側に位置する縦杆５２の外側面上部には、ホルダー９１に移動可能に取り付けられたロック部材９が設けられている。
【００２６】
このロック部材９は、出入口３０に突出する位置と出入口から退く位置とに位置変更可能であって、出入口３０に突出することで、扉６を前記した連結体７の突出部位７ａとで挟持するようにしている。
【００２７】
また脚部材４をメイン柵部材２ａ・２ｂに固定するのに、脚部材４の縦杆４３にも貫通孔（図示せず）を設けて、この貫通孔及びメイン柵部材２ａ・２ｂの左右縦杆２３・２４に設けた貫通孔８０を介して前記した固定金具８により、脚部材４をメイン柵部材２ａ・２ｂに固定するようにしている。
【００２８】
尚、図中１０は、扉６の閉鎖時、扉６を枠体５に係止するための係止ピンであって、その遊端部を枠体５の縦杆５２に設けた係合穴１１に嵌合させるようにしている。
【００２９】
以上の仕切り部材１によれば、出入り用柵部材３の扉６の開放により、Ｕ字状の枠体５の下部横杆５１と左右縦杆５２・５３とで画成される出入口３０からスムーズに出入りすることができる。
【００３０】
また扉６の閉鎖に伴い、扉６の遊端部が、出入り用柵部材３の左右縦杆５２・５３の内側面とこの出入り用柵部材３に連結されるメイン柵部材２ａの縦杆５２の内側面とに跨って固定された連結体７と出入り用柵部材３における扉６の揺動側に位置する縦杆６３の外側面に取り付けられたロック部材９とで挟持され、これにより、メイン柵部材２ａ・２ｂと出入り用柵部材３のみならず出入り用柵部材３を構成する枠体５と扉６の遊端側が一体的に結合される。
【００３１】
従って、出入り用柵部材３のみならず仕切り部材１全体の剛性が高まる。
【００３２】
以上の実施形態では、出入り用柵部材３とメイン柵部材２ａ・２ｂを連結するために、正面視短冊状に形成した木製の連結体７と、この連結体７を前述の柵部材２ａ・２ｂ・２ｃに固定するための固定金具８及び既存の木製のダボ部材７０とを用いたが、ダボ部材７０を用いずに、連結体７と、この連結体７を前述の柵部材２ａ・２ｂ・２ｃに固定するための固定金具８だけで連結してもよい。
【００３３】
また以上の実施形態では、図７にも示すように、枠体５を構成する幅広の左右縦杆５２・５３の幅広面を仕切り部材１の外面に沿うように配置したが、図９に示すように、縦杆５２の幅広面をメイン柵部材２ａ・２ｂの縦杆２３・２４と対向させるように配置してもよい。
【００３４】
この場合、出入り用柵部材３の枠体５における扉６の揺動側に位置する縦杆５２の外側面に凹溝５２ａを形成して、この凹溝５２ａ内に、ロック部材９のホルダー９１を固定するのが望ましい。
【００３５】
また以上の実施形態では、本発明の仕切り部材１を、主として建屋内の部屋の出入口に設置して用いるゲートに適用したが、これに限定されるものではなく、例えば図１０に示すように、子犬等を一定の場所に入れておくためのサークル（囲い）に適用してもよい。
【００３６】
尚、図１０に示すサークルとして用いられる仕切り部材１は、前記実施形態で用いた２枚のメイン柵部材２ａ・２ｂ及び扉６により開閉される出入口３０が備えられた１枚の出入り用柵部材３に加えて、サークルの背面を画成する３枚のメイン柵部材２ｃ・２ｄ・２ｅと、サークルの両側面を画成する２枚の幅広のメイン柵部材２ｆ・２ｇが備えられ、これらメイン柵部材２ａ〜２ｇ及び出入り用柵部材３を平面視矩形状に連結したものであって、その連結構造は、前記した実施形態のものと変わらない。
【００３７】
以上のサークルタイプの仕切り部材にあっても、出入口３０からの出入りが支障なく行なえ、それでいながら、扉６の閉鎖に伴い、扉６の遊端部が、出入り用柵部材３の左右縦杆５２・５３の内側面とこの出入り用柵部材３に連結されるメイン柵部材２ａの縦杆５２の内側面とに跨って固定された連結体７と出入り用柵部材３における扉６の揺動側に位置する縦杆６３の外側面に取り付けられたロック部材９とで挟持され、これにより、メイン柵部材２ａ・２ｂと出入り用柵部材３のみならず出入り用柵部材３を構成する枠体５と扉６の遊端側が一体的に結合され、出入り用柵部材３のみならず仕切り部材１全体の剛性を高めることができる。
【産業上の利用可能性】
【００３８】
本発明は、ペット用のゲートやサークルに限らず、例えば乳幼児用のゲートやサークルにも適用できる。
【図面の簡単な説明】
【００３９】
【図１】本発明に係る仕切り部材の一実施形態を示す斜視図。
【図２】扉を開いた状態の仕切り部材の斜視図。
【図３】要部を分解して示す正面図。
【図４】出入り用柵部材を構成する枠体の正面図。
【図５】出入り用柵部材を構成する扉の正面図。
【図６】要部の背面図。
【図７】要部の拡大平面図。
【図８】要部の拓大断面図。
【図９】出入り用柵部材を構成する枠体の縦杆の配置方向の変更例を示す要部の拡大平面図。
【図１０】本発明に係る仕切り部材の別の実施形態を示す斜視図。
【符号の説明】
【００４０】
１    仕切り部材
２ａ・２ｂ  メイン柵部材
２０  枠体
２１・２２  横杆
２３・２４  縦杆
３    出入り用柵部材
３０  出入口
５    枠体
５１  下部横杆
５２  縦杆
５３  横杆
６    扉
６１・６２  横枠
６３・５４  横杆
７    連結体
７ａ  突出部位
８    固定金具
９    ロック部材
【図１】
2010017088.tif 000003
【図２】
2010017088.tif 000004
【図３】
2010017088.tif 000005
【図４】
2010017088.tif 000006
【図５】
2010017088.tif 000007
【図６】
2010017088.tif 000008
【図７】
2010017088.tif 000009
【図８】
2010017088.tif 000010
【図９】
2010017088.tif 000011
【図１０】
2010017088.tif 000012